(57)【特許請求の範囲】
【請求項１】
一対の柄部を備えた手動操作部と、可撓性の舌面磨き具本体とを備え、
前記手動操作部は、その一対の柄部間の離間距離を小さくなるように外力を加えてからその外力を解除したときに、元の状態に復元する弾性を備えた部材から形成されているともに、
前記舌面磨き具本体は、リング状に形成されているとともに、このリング状の舌面磨き具本体が、前記一対の柄部間に着脱自在に装着されることにより、当該舌面磨き具本体が、前記手動操作部の復元力により緊張状態に張設されることを特徴とする舌苔除去具。
【発明の詳細な説明】
【０００１】
【産業上の利用分野】
本発明は、口臭の原因になる舌の表面に付着した舌苔を取り除くのに用いて好適な舌苔除去具に関するものである。
【０００２】
【従来の技術】
口内清掃具としては、従来から歯ブラシが一般的であるが、近年、特に舌の表面に付着した食物の残りかす等を除去する舌苔除去具が提供され、好評を博している。
【０００３】
このような舌苔除去具は、舌の表面に残存する食物をとることができる他、ニコチンあるいは粘膜と一緒に存在する雑菌などを除去することができ、口臭の発生を防ぐことができるとともに、病気を予防する点でも利点がある。
【０００４】
このような舌苔除去具の基本的な構成としては、舌の表面に直接当てて舌苔を擦りとる舌面磨き具本体と、これを操作するための手動操作部とからなり、具体的には、通常の歯ブラシの一方端に硬質合成樹脂からなるヘラ状の掻き取り部を一体に取り付けたものや、あるいは歯を磨くためのブラシとは異なる舌用ブラシを他方端に植設したものなどが提供されている（実開昭５７−９２４４６号公報参照）。
【０００５】
また、他の舌苔除去具としては、細い棒状部材を基材として、この周囲に柔らかな布状のものを巻き付けたものなども提供されている（実開平２−１０９６１１号公報参照）。
【０００６】
【発明が解決しようとする課題】
ところで、例えば、従来のヘラ状のもので舌苔を掻き取ろうとすると、舌に当接するヘラの部分が突出しているため、口の小さい人などには使い難く、誰でも使用できる大きさに設定することは困難であった。
【０００７】
また、ヘラ状のものでは口の中で摺接した場合の操作性も悪く、咽元近くは挿入することもできず、磨き残しが生じてしまう。加えて、舌に当接する部分は硬質合成樹脂からなるため、使用したときの使用感も悪い。さらに、硬質合成樹脂の先端は、硬くシャープであり舌苔は取り易いが、その反面、舌に当接させたときに舌の形状により強く当たる所と弱く当たる所とが生じてしまい、結果として舌表面を傷付けてしまうという問題があった。
【０００８】
また、柄の先端に舌専用のブラシを具備させたものでも、以下のような理由から舌を磨くのに十分適した素材と言うことはできない。
すなわち、ブラシを用いて舌をより綺麗に磨くためには、ブラシの材質は硬い材質であった方が良い。しかし、ブラシが硬いと舌の表面を磨いたときに使用者に痛みを感じさせる。また、場合によっては舌の表面にある乳頭等を傷つけてしまう。しかも、ブラシの材質が何であれ、舌の凹凸間に付着している粘着性の汚れなどは、これらのブラシでは取り難い。
【０００９】
このように、ブラシを使って舌の表面を磨く場合もヘラ状のものを用いた場合と同様に、舌を磨く素材として適正なものではなく、以前から改善が望まれていた。
【００１０】
一方、細い棒状部材の周りに柔らかな布体を巻き付けたものでは、下記のような問題がある。
すなわち、棒状部材に柔らかな布体を巻き付けたものでは、舌に当接する先端部分が丸みを帯びているため、舌に当接させたときに痛みは感じさせないものの、丸みがあるために舌苔を落とし難いという問題がある。
【００１１】
したがって、布体を巻き付けた舌苔除去具では、舌苔を除去するために舌表面に何回も当接させ、繰り返し掻き取り操作を行なわなければならなくなる。さらにまた、布体を巻き付けたものは、上記したヘラ状のものを用いた場合と同様に、舌の形状により強く当たる所と弱く当たる所とが生じることから、力が集中してしまう箇所があり、その箇所に繰り返し掻き取り操作を行なうと、知らずのうちに舌を傷付けてしまうという問題があった。
【００１２】
本発明はこのような実情に鑑み、口の大きさに係わりなく誰でも使用することができ、操作性も良く、使用感も良好で、過度に力がかかったり乳頭等を傷つけてしまう虞もなく、また数回の使用で広い範囲の舌苔を効果的に除去することができ、さらには均等の力で舌表面を磨くことが可能な舌苔除去具を提供することを目的としている。
【００１３】
【発明が解決しようとする課題】
上記目的を達成するための本発明に係る舌苔除去具は、
一対の柄部を備えた手動操作部と、可撓性の舌面磨き具本体とを備え、
前記手動操作部は、その一対の柄部間の離間距離を小さくなるように外力を加えてからその外力を解除したときに、元の状態に復元する弾性を備えた部材から形成されているともに、
前記舌面磨き具本体は、リング状に形成されているとともに、このリング状の舌面磨き具本体が、前記一対の柄部間に着脱自在に装着されることにより、当該舌面磨き具本体が、前記手動操作部の復元力により緊張状態に張設されることを特徴としている。
【００１５】
【作用】
上記構成による本発明によれば、可撓性の舌面磨き具本体が緊張状態で張設されているので、舌に軽く当接させ前後に引く動作を数回行なうだけで舌苔を綺麗に除去することができる。
【００１６】
すなわち、可撓性の部材が緊張状態に張設されていることから、この舌面磨き具本体を舌に当接させれば、舌表面にはどの位置であっても同程度に力が作用することになる。しかも、この舌面磨き具本体の略全域が舌表面に当接されるので、一回の操作で舌表面の広い範囲に拡がる舌苔を略同じ力で除去することができる。
【００１７】
しかも、略均等に力がかかることから、舌に痛みを生じさせる虞がない。また、この舌面磨き具本体を舌に押し当てて軽く引っ張っても、舌面磨き具本体は緩やかに湾曲するのみで舌との当接状態を維持したまま移動するので、舌苔を除去する能力が低下することもない。
【００１８】
また、舌面磨き具本体を例えばリング状に形成し、このリング状の舌面磨き具本体を手動操作部に着脱自在に装着すれば、例えば、一度使用した舌面磨き具本体を手動操作部本体から取り外し、これに代え、新たなものを取り付けることができる。したがって、常に綺麗なものを使用することができる、また、大きさの異なる舌面磨き具本体を幾種類か用意すれば、口の大きさ等に合わせて使用し易い舌面磨き具本体を取り付けることができる。
【００１９】
【実施例】
以下、図面を参照しながら本発明の実施例について説明する。
図１は本発明の一実施例による舌苔除去具を示したものである。
【００２０】
この実施例の舌苔除去具１は、使用者が手で握る手動操作部２と、該手動操作部２に着脱自在に装着され、舌の表面に直接押し当てられる舌面磨き具本体３とからなっている。また、手動操作部２は、一対の柄部２ａ、２ａを備えている。
【００２１】
このような手動操作部２は、ステンレスあるいはバネ鋼などのように復元力を有する部材から形成することが好ましい。しかし、適宜な弾性を有する部材であれば、金属に代えて例えば合成樹脂から形成することもできる。
【００２２】
また、この手動操作部２は、中央部が一回転されており、これにより基端部２ｂを中心とした復元力が強く設定されている。
一方、手動操作部２の先端には、後述する舌面磨き具本体３を係止するための溝２ｃ、２ｃがそれぞれ形成されている。
【００２３】
また、実施例に示した舌面磨き具本体３は、例えば帯状のガーゼ等をリング状に形成したもので、側面には糸状体の端部が散在している。
なお、このような舌面磨き具本体３は、ガーゼに何ら限定されず、例えば、図２に示した舌面磨き具本体４のように、不織布あるいは和紙などのように、糸状体が方向性なく集合されたものであっても勿論良い。また、糸状体の長さも何ら限定されず、短繊維であっても長繊維であっても良い。さらには、図３に示した舌面磨き具本体５のように、可撓性の合成樹脂により平坦な帯状の板体５ａを形成し、この板体５ａの両端部に係止用の穴５ｂ、５ｂを形成したものであっても良い。このような舌面磨き具本体５を用いた場合でも、例えば図１に示した弾性を有する手動操作部２に取り付けることにより、緊張状態に張設することができる。
【００２４】
例えば、上記の舌面磨き具本体３を手動操作部２に取り付けるには、先ず片方の手で手動操作部２を握り、手動操作部２の先端部間の離間距離を小さくしておくとともに、この先端部間に舌面磨き具本体３を装着する。そして、手動操作部２を握っていた力を解除すれば、図４に示したように、舌面磨き具本体３が手動操作部２に対して緊張状態に張設される。したがって、この状態から仮に舌面磨き具本体３を引っ張っても、舌面磨き具本体３が手動操作部２から外れたりすることはない。
【００２５】
本実施例による舌苔除去具１は上記のように形成されているが、以下に図４を参照しながら作用について説明する。
先ず、使用者は、この舌苔除去具１の手動操作部２の一対の柄部２ａ、２ａを手で掴んで、舌面磨き具本体３を舌４の表面に押し当てる。すると、舌面磨き具本体３は舌４の幅方向ほぼ全域に当接することになる。
【００２６】
しかも、このとき、舌面磨き具本体３は緊張状態のまま弧状に若干撓むことになる。したがって、このような舌面磨き具本体３に当接した舌４の表面では、どの位置であっても舌面磨き具本体３から略均等の力を受けることになる。このため、舌４の表面の一か所に過度の力が加わってしまうことはない。
【００２７】
しかも、上記したように舌面磨き具本体３は舌４の広い範囲に亘って当接されるので、このような状態から、舌４の内方から口先方向に向かって舌面磨き具本体３を数回引っぱれば、舌４の広い範囲に付着した食物のかす等を効率的かつ簡単に除去することができる。しかも、手で握っている略Ｖ字状の手動操作部２には外方に拡がるバネ力が作用しているので、舌面磨き具本体３が手動操作部２から外れたりすることはない。さらに舌面磨き具本体３は、常に緊張状態に張設されているので、舌苔の除去能力は引っ張っている操作中であっても略均一に力が作用することに代わりはない。
【００２８】
また、舌面磨き具本体３が若干、撓むことにより、例えば舌４の側面４ａのように、湾曲した部分を磨く場合であっても、その側面４ａに密に当接させることができる。したがって、例え磨き難い箇所であっても舌苔等を逃すことなく除去することができ、また凹凸間に付着した粘着性の汚れも簡単に除去することができる。
【００２９】
また、舌面磨き具本体３として、ガーゼ等を用いれば、日常生活で簡単に手に入るものを舌面磨き具本体３として使用することができる。また、衛生的でもあり、口の中に入れることへの違和感もない。さらに、柔らかな材質でありながら周囲に糸の端部が適度に突出しているので、舌苔等を付着させて、効率的に除去することができる。
【００３０】
また、場合によっては、舌面磨き具本体３を、予め薄めたホウ酸等の薬液に浸してから用いることもできる。これにより、口の中の細菌の発育を一層効果的に抑えることができ、また口臭の原因になる粘膜のネバリ等も低下させることができる。
【００３１】
さらに、舌面磨き具本体３の径の大きさを種々用意しておけば、口の小さな人から口の大きな人まで、使用し易い大きさの舌面磨き具本体３を手動操作部２に取付けることができる。
【００３２】
このように、本実施例によれば、舌面磨き具本体３が常に緊張状態に張設された状態で舌４の表面に当接されるので、舌４の一部に大きな力が作用することはない。また、舌面磨き具本体３は、舌４に対して幅方向の広い範囲に拡がって当接されるので、掻き取る動作をそれ程多く行なわなくても、舌４の表面を綺麗に磨くことができる。
【００３３】
また、このような舌苔除去具によれば、ブラシなどを用いることに比べて柔らかでありながら効果的に舌苔を除去することができ、また、乳頭等を傷付けてしまう虞もない。また、力の掛り具合も良好であり、口の中での操作性も良い。さらに、緊張状態で張設されることから、舌表面には略均等に力がかかることになり、この略均等の力で一度に広い範囲の舌苔を除去することが可能になる。
【００３４】
以上、本発明の一実施例について説明したが、本発明は上記実施例に何ら限定されず、種々の改変が可能である。
例えば、舌苔を掻き取る際の操作性を考慮して、図５に示した舌苔除去具７のように、基端部６ａを持ち易くするために、この基端部６ａの幅を広くし、この基端部６ａから一対の柄部６ｂ、６ｂを突出させても良い。また、柄部６ｂ、６ｂの先端部に舌面磨き具本体３を係止するための凹溝６ｃ、６ｃを形成すれば、舌面磨き具本体３が使用中に外れたりする虞がない。このような舌苔除去具７を形成する場合には、一対の柄部６ａ、６ａおよび基端部６ｂからなる手動操作部６を合成樹脂から形成すると良い。
【００３５】
また、上記実施例では、舌面磨き具本体３を手動操作部２に着脱自在に装着しているが、図６に示した舌苔除去具１０のように、一対の柄部８ａ、８ａを備えた手動操作部８および舌面磨き具本体９とも合成樹脂とし、これらを一体に成形しても良い。この場合にも、舌面磨き具本体９を緊張状態にすることができる。
【００３６】
このように、手動操作部８および舌面磨き具本体９を合成樹脂から一体成形すれば、使い捨ての舌苔磨き具１０として提供した場合にもコスト的に安価になる。使い捨ての舌苔除去具とした場合の使用勝手としては、洗面用具の１つの備品としてホテルなどに備えることができる。
【００３７】
また、上記実施例では、例えば手動操作部２を弾性力のある材質から形成し、これにより舌面磨き具本体３を緊張状態に張設するようにしたが、これに代え、例えば舌面磨き具本体３を軟質合成樹脂等から形成すれば、他方の手動操作部２は弾性力を有していなくても良い。すなわち、本発明では、手動操作部２あるいは舌面磨き具本体３の何れかに弾性力があれば、舌面磨き具本体３を緊張状態に張設することができ、上記実施例と同様の作用効果を奏することになる。
【００３８】
【発明の効果】
以上、説明したように、本発明に係る舌苔除去具によれば、可撓性の舌面磨き具本体が緊張状態で使用されるので、これに当接する舌表面にはどの位置であっても略均等な力がかかることになり、舌面磨き具本体に当接した広い範囲の舌表面に付着した舌苔を略均等な力で除去することができる。
【００３９】
さらに、舌の側面等、湾曲した部分を磨く場合であっても、その形状に合わせて舌面磨き具本体を若干変形させることができるので、舌の表面は勿論、舌の側面に付着した舌苔であっても無理な力を加えることなく簡単に除去することができる。また、無理な力がかからず、全体に略均等な力がかかることから、乳頭等を傷付ける虞もない。
【００４０】
また、舌面磨き具本体を例えばリング状に形成し、このリング状の舌面磨き具本体を手動操作部に着脱自在に装着すれば、例えば、一度使用した舌面磨き具本体を手動操作部本体から簡単に取り外すことができる。したがって、大きさの異なる舌面磨き具本体を幾種類か用意すれば、口の大きさ等に合わせて誰でも使用し易い大きさの舌面磨き具本体を取り付けることができる。
【００４１】
さらには、無理な力がかからないので使用した後に、痛み等を生じさせることがなく、これにより、毎日使用する習慣を維持することができ、健康面にも寄与することができる。
【図面の簡単な説明】
【図１】図１は本発明の一実施例による舌苔除去具の分解斜視図である。
【図２】図２は図１に示した舌面磨き具本体の他の例を示す正面図である。
【図３】図３は図１に示した舌面磨き具本体のさらに他の例を示す正面図である。
【図４】図４は本発明の一実施例による舌苔除去具の使用状態を示す正面図である。
【図５】図５は本発明の他の実施例による舌苔除去具の正面図である。
【図６】図６は本発明のさらに他の実施例による舌苔除去具の斜視図である。
【符号の説明】
１、７、１０          舌苔除去具
２ａ、６ｂ、８ａ      柄部
２、６、８            手動操作部
３、４、５、９        舌面磨き具本体
【図１】
0003672956.tif 000002
【図２】
0003672956.tif 000003
【図３】
0003672956.tif 000004
【図４】
0003672956.tif 000005
【図５】
0003672956.tif 000006
【図６】
0003672956.tif 000007